(57)【特許請求の範囲】
【請求項１】
水槽と、
該水槽内に配置された透水性のコンクリートブロックと、
該コンクリートブロック上の土壌層と、
水槽内に溜められた水の循環装置を含み、
前記コンクリートブロックは、浸漬した水中にアルカリ性物質を放出可能な多孔質材料からなる、
孵化したホタルの幼虫を別の場所で成長させて、蛹化が近づいたホタルの幼虫を移管し、蛹化させ、かつ成虫へ羽化させるためであり、かつ幼虫の蛹化及び成虫への羽化を６カ月以上の期間に渡り実施するためのホタル飼育用装置であって、
前記水槽内に、水面が前記ブロック上の土壌層の下面より低い位置になるように水を溜めて用いられる、前記装置。
【請求項２】
前記コンクリートブロックは、建築用又は園芸用空洞コンクリートブロックである、請求項１に記載のホタル飼育用装置。
【請求項３】
前記水槽内に溜められた水の量（Ｌ）に対する前記ブロックの重量（ｋｇ）の比は、水の量１００Ｌ：１〜２００ｋｇの範囲である請求項１又は２に記載のホタル飼育用装置。
【請求項４】
前記水のｐＨは、前記コンクリートブロックから放出されたアルカリ性物質により８〜１０の範囲に維持される、請求項１〜３のいずれかに記載のホタル飼育用装置。
【請求項５】
照明手段をさらに備える、請求項１〜４のいずれかに記載のホタル飼育用装置。
【請求項６】
暗室内に設置した請求項５に記載のホタル飼育用装置であって、
装置内の照明時間をコントロールすることで、装置内で生育するホタルの幼虫の蛹化及び成虫への羽化を促進するために用いられる、前記装置。
【請求項７】
夏期及び夏期以外の時期のいずれかの時期において、ホタルの成虫を得るために用いられる、請求項６に記載の装置。
【請求項８】
温度制御手段をさらに備え、装置内の温度を制御することで、装置内生育するホタルの幼虫の蛹化及び成虫への羽化を促進する、請求項６又は７に記載の装置。
【請求項９】
装置内の照明時間及び温度をコントロールすることで、所望の時期に羽化した成虫を得るために用いるための、請求項６〜８のいずれかに記載の装置。
【発明の詳細な説明】
【技術分野】
【０００１】
本発明はホタル飼育用装置に関する。
【背景技術】
【０００２】
自然界においては、ホタルは、孵化して幼虫になるとすぐに水中へ移動し、水中で主にカワニナ又はタニシという巻貝を餌にして成長する。その後、ホタルの幼虫は、陸上へ移動し、土の中で蛹になり、羽化して成虫になる。成虫になったホタルは、水辺の植物に産卵し、一生を終える。この自然界での営みは、清浄な水が存在する場所でのみ可能であり、近年、そのような場所は非常に限られ、ホタルを観察することができる機会は非常に少ない。そこで、ホタルの産卵に始まって、幼虫の成長及び羽化して成虫なるまで、またはその一部を人工的に再現し、ホタルを観察できるようにする試みがなされている。
【０００３】
例えば、特許文献１には、水槽と、該水槽内に形成された透水層と、該透水層上の土壌層と、前記水槽内にあって前記透水層により隔てられた滞水部及び水溜部と、前記滞水部及び前記水溜部にそれぞれに溜められた水と、前記水溜部に溜められた水を前記滞水部へ送るためのポンプとを含み、前記透水層は、土と、該土に埋められた炭素繊維マットとからなるホタル飼育用装置が開示されている。
【０００４】
前記水溜層に溜められた水は、前記ポンプにより前記滞水部へ送られる。これにより、前記水溜部に溜められた水の水位は、前記滞水部に溜められた水の水位より低くなるため、前記滞水部に溜められた水は、前記透水層を通って前記水溜部へ流れ、前記水溜部に溜まる。前記水が前記透水層を通るとき、前記水は前記炭素繊維マットにより濾過される。このように前記炭素繊維マットが濾過材として機能するため、前記水溜部に溜まった水は比較的清浄である。このため、前記水溜部に溜まった水を前記ポンプにより前記滞水部へ送ることにより、比較的清浄な水を前記滞水部に供給することができる。これにより、比較的清浄な水を好む前記カワニナやタニシの成長を促すことができ、前記ホタルの幼虫をより大きく成長させることができる。
【０００５】
また、特許文献２には、水槽と、水槽内に溜められた水と、該水の中に配置された複数層の土壌を含み、土壌の一部の層に珊瑚の破砕片を含む層を有し、前記水の中でホタルの幼虫とカワニナとを成育させる、非常に大がかりなホタル飼育用装置が開示されている。この装置には木道１０１が設けられ、この木道を使ってヒトが周囲から観察できる装置であり、湿地域７５から還流用貯水槽８１、濾過ポンプ及び濾過槽８３等を水が循環する機構も有する。
【０００６】
前記水の中に前記土壌に含まれる珊瑚の破砕片含有層が配置されていることから、前記珊瑚の破砕片に含まれる炭酸カルシウムが前記水に溶出し、前記水は弱アルカリ性となり、前記水が弱アルカリ性であることにより、前記カワニナの成長が促され、前記ホタルの幼虫をより大きく成長させることができるとの記載がある。
【先行技術文献】
【特許文献】
【０００７】
【特許文献１】特開２０００−１５７１０１号公報
【特許文献２】特開２００３−２１００６８号公報
【発明の開示】
【発明が解決しようとする課題】
【０００８】
特許文献１及び２に記載のホタル飼育用装置では、水を浄化する目的で、濾過装置（特許文献１の炭素繊維マットや特許文献２の濾過槽８３）及び大がかりな水の循環装置を必要とする。
【０００９】
特許文献１の装置では、炭素繊維マットが目詰まりを生じると交換が必要である。しかし、炭素繊維マットの交換には、土壌層及び透水層の除去、新たな炭素繊維マットを備えた透水層の形成及び透水層上への土壌層の形成が必要である。炭素繊維マットの交換の度に、上記操作が必要である。
【００１０】
特許文献２の装置については、濾過槽８３の浄化については、土壌等の取り壊しと再形成は不要である。しかし、濾過槽８３の浄化には一時的に流水を停止する必要があり、また、濾過槽８３の構造や機構が定かではないが、浄化装置自体が大がかりであり、かつ浄化装置の維持に手間が必要である。
【００１１】
このように、特許文献１及び２にホタル飼育用装置には、濾過装置を有することによる上記課題がある。
【００１２】
本発明の目的は、水槽内の水を濾過するための特別な濾過装置を用いることなく、水を清浄、かつホタルの幼虫が生育できる環境を保ち、ホタルを幼虫から成虫へと飼育できる装置を提供することである。
【課題を解決するための手段】
【００１３】
本発明は以下のとおりである。
［１］
水槽と、
該水槽内に配置された透水性のコンクリートブロックと、
該コンクリートブロック上の土壌層と、
水槽内に溜められた水の循環装置を含み、
前記コンクリートブロックは、浸漬した水中にアルカリ性物質を放出可能な多孔質材料からなる、ホタル飼育用装置。
［２］
前記コンクリートブロックは、建築用又は園芸用空洞コンクリートブロックである、［１］に記載のホタル飼育用装置。
［３］
前記水槽内に溜められた水をさらに含み、水面は前記ブロック上の土壌層の下面より低い位置にある、［１］に記載のホタル飼育用装置。
［４］
前記水槽内に溜められた水の量（Ｌ）に対する前記ブロックの重量（ｋｇ）の比は、水の量１００Ｌ：１〜２００ｋｇの範囲である［３］に記載のホタル飼育用装置。
［５］
前記水のｐＨは、前記コンクリートブロックから放出されたアルカリ性物質により８〜１０の範囲に維持される、［３］又は［４］に記載のホタル飼育用装置。
［６］
前記装置は、少なくとも、ホタルの幼虫の成長、蛹化及び成虫への羽化を行わせるために用いられる、［１］〜［５］のいずれかに記載のホタル飼育用装置。
［７］
照明手段をさらに備える、［１］〜［６］のいずれかに記載のホタル飼育用装置。
［８］
暗室内に設置した［７］に記載のホタル飼育用装置であって、
装置内の照明時間をコントロールすることで、装置内で生育するホタルの幼虫の蛹化及び成虫への羽化を促進するために用いられる、前記装置。
［９］
夏期及び夏期以外の時期のいずれかの時期において、ホタルの成虫を得るために用いられる、［８］に記載の装置。
［１０］
温度制御手段をさらに備え、装置内の温度を制御することで、装置内生育するホタルの幼虫の蛹化及び成虫への羽化を促進する、［８］または［９］に記載の装置。
【発明の効果】
【００１４】
本発明によれば、水槽内の水を濾過するための特別な濾過装置を用いることなく、水を清浄、かつホタルの幼虫が生育できる環境を保ち、ホタルを幼虫から成虫へと飼育できる装置を提供することができる。
【図面の簡単な説明】
【００１５】
【図１】本発明のホタル飼育用装置の一態様の概略説明図を示す。
【図２】本発明のホタル飼育用装置の一態様の縦断面概略説明図を示す。
【図３】本発明のホタル飼育用装置の一態様の概略説明図を示す。
【発明を実施するための形態】
【００１６】
本発明は、ホタル飼育用装置に関し、この装置は、
水槽と、
該水槽内に配置された透水性のコンクリートブロックと、
該コンクリートブロック上の土壌層と、
水槽内に溜められた水の循環装置を含み、
前記コンクリートブロックは、浸漬した水中にアルカリ性物質を放出可能な多孔質材料からなる。
【００１７】
本発明のホタル飼育用装置は、浸漬した水中にアルカリ性物質を放出可能な多孔質材料からなるコンクリートブロックを用いることを特徴とする。
【００１８】
図１に本発明の装置の概略図を示す。
本発明のホタル飼育用装置１では、水槽内に透水性のコンクリートブロック２を配置し、このコンクリートブロック２上の土壌層３を設けること、さらには、水槽内に水４を溜め、その水面４ｓをコンクリートブロック２上の土壌層３の下面３ｂより低い位置にすること、及び水循環装置５により水槽内に溜めた水を循環させることで、水槽内に溜めた水を清浄に保ち、かつ水槽内に溜めた水のｐＨをホタルの幼虫の水中での成長を良好に維持できる範囲に維持できる。
【００１９】
コンクリートブロック２は、浸漬した水４中にアルカリ性物質を放出可能な多孔質材料からなる物であれば、制限はない。アルカリ性物質の放出可能能力、及び多孔質であること、さらには、入手の容易さという観点から、建築用コンクリートブロックであることが好ましい。建築用コンクリートブロックは、容積吸水率が、例えば、１０％〜４０％の範囲である多孔質を有するものである。建築用コンクリートブロックには、容積吸水率が、２０％未満のコンクリートブロックＣ種、３０％未満のコンクリートブロックＢ種、及び４０％未満のコンクリートブロックＡ種がある。Ａ種及びＢ種は、軽量コンクリートブロックとも呼ばれ、主に、園芸用であり、Ｃ種は、強度がＡ種及びＢ種より高いことから、ブロック塀等に用いられる。本発明では、何れの建築用コンクリートブロックも用いることができる。さらに、コンクリートブロックは、空洞を有する物であることが、コンクリートブロック内への水の進入や、水の循環を容易にするという観点から好ましい。空洞の形状や数には制限はないが、図１の２ａで示す２つの貫通孔であるか、または２ｂで示す３つの貫通孔であることが好ましい。建築用コンクリートブロックの厚さは、一般には、例えば、１０ｃｍ、１２ｃｍ、１５ｃｍ、及び１８ｃｍであり、重さは、それぞれ約１０ｋｇ、１２ｋｇ、１４ｋｇ、及び１８ｋｇである。
【００２０】
コンクリートブロックは、一般にセメントに骨材と砂を混ぜて製造されるが、セメントとしては、一般的なセメントであるポルトランドセメントが用いられる。ポルトランドセメントには、多量のカルシウム分が含まれており、コンクリートブロックを水に浸漬すると、水にカルシウム分が溶出して、水のｐＨはアルカリを示す。本発明の装置では、水槽内に溜めた水を清浄に保ち、かつ水槽内に溜めた水のｐＨをホタルの幼虫の水中での成長を良好に維持するという観点から、コンクリートブロック２から放出されたアルカリ性物質（例えば、カルシウム分）によりｐＨ７．５〜９の範囲に維持されることが好ましく、より好ましくはｐＨ約８である。
【００２１】
水槽内に溜められる水は、水面がコンクリートブロック上の土壌層の下面より低い位置にあることが、土壌層の土壌により水が汚染されることを防止するという観点からは好ましい。さらに、水槽内に溜められた水の量（Ｌ）に対するコンクリートブロックの重量（ｋｇ）の比は、コンクリートブロックから放出されたアルカリ性物質（カルシウム分）により水のｐＨが７．５〜９の範囲に維持されるように設定することが好ましい。水量１００Ｌに対して、例えば、建築用コンクリートブロック、１〜２００ｋｇの範囲、好ましくは１０〜１００ｋｇの範囲とすることができる。さらに、水槽の水の容量とコンクリートブロックの使用量（個数）との関係は、水量１００Ｌに対して、建築用コンクリートブロックの場合、形状や厚み等にもよるが、例えば、１〜２０個、好ましくは２〜１０個を浸漬する。
【００２２】
水に対してこの比率で建築用コンクリートブロックを用いることで、水槽の水の容量およびコンクリートブロックの使用量にも依存するが、水槽内に溜めた水のｐＨを例えば、６カ月以上、好ましくは１年以上維持することができる。ｐＨをこの範囲に維持できることで、水槽の水中で、ホタルの幼虫が良好な状態で生育できる。水が前記弱アルカリ性のｐＨであることは、カワニナの成長にとって好ましく、カワニナの成長が促されることで、ホタルをより大きく成長させることができると考えられる。
【００２３】
水槽内に溜められた水の量は、水槽の大きさ及び形状と、水槽内に設置されるコンクリートブロックの形状及び数（水を排斥する体積）により変化する。一方、コンクリートブロックの重量は、コンクリートブロックの形状（空洞の形状、寸法及び数を含む）及び水槽内に設置されるコンクリートブロックの数、コンクリートブロックの設置の仕方により変化する。
【００２４】
水槽内に溜められた水の量が相対的に多く、コンクリートブロックの重量（例えば、数）が相対的に少ない場合には、水槽内に溜められる水のｐＨを、６カ月以上の期間、上記範囲に制御することは難しくなる。
【００２５】
さらに本発明のホタル飼育用装置は、水槽内に溜められた水を循環させる装置を含む。この水循環装置５は、水槽内に溜められた水を単に循環する機能を有する物であれば良い。水循環装置は、例えば、水を汲み上げるポンプと、一端部が前記ポンプに接続され、また他端部が水の中にある送水管路とからなることができる。ポンプにより汲み上げられた水が、送水管路を経て水の中に放出されることにより、水槽内の水が循環することができる。本発明のホタル飼育用装置は、水循環装置５を備えるので、この水循環装置により前記水を循環させることによって、水の浄化を促す。さらに、後述する空気供給手段を有する場合、水の中に供給された空気を水の中の比較的広い範囲に行き渡らせることもできる。尚、水循環装置は、水槽内に溜められた水を単に循環する機能を有するものであれば良く、エアポンプであってもよい。
【００２６】
水の循環は、好ましくは、コンクリートブロックが貫通孔２ａまたは２ｂを有する場合、貫通孔２ａまたは２ｂ内の水の循環も促進するものであることが、水槽内に溜めた水を清浄に保ち、かつ水槽内に溜めた水のｐＨをホタルの幼虫の水中での成長を良好に維持するという観点からは好ましい。本発明のホタル飼育用装置においては、水を強制的に濾過する仕組みは有さない。しかし、多孔性のコンクリートブロックをもちいること、およびコンクリートブロックが貫通孔を有することで、水槽内に溜めた水を清浄に保つことができる。これは、コンクリートブロックが有する貫通孔内に微生物が付着しやすいため、このような微生物の働きによっても水槽内に溜めた水は浄化されるものと推察される。水が浄化されることにより、カワニナの成長が促され、ホタルをより大きく成長させることができる。
【００２７】
ホタルの一生は、一般に、植物等に卵が産み付けられ、その後、卵からホタルの幼虫が孵化する。孵化は、陸上で行われるが、孵化した幼虫は、水中に移動し、水の中で成長する。一般にホタルの幼虫は水中のカワニナを餌にして成長する。成長したホタルの幼虫は、陸上（土壌中）に移動し、土壌層の中で蛹になり、その後、羽化して成虫（ホタル）になる。
【００２８】
本発明のホタル飼育用装置は、少なくとも、ホタルの幼虫の成長、蛹化及び成虫への羽化を行わせるために用いられることができる。ホタルの幼虫の成長は、主に水中で行われる。水中で成長させるホタルの幼虫は、孵化直後の幼虫であることもできるが、孵化後に別の場所である程度成長させて、土壌中での蛹化が近づいた幼虫を本発明の装置に移管して成長させることもできる。これにより、ホタルの幼虫の蛹化及び成虫への羽化を効率よく実施することもできる。また、ホタルの幼虫の蛹化及び成虫への羽化は、主に土壌層にて行われる。
【００２９】
コンクリートブロック上に設ける土壌層は、ホタルの幼虫の蛹化及び成虫への羽化を効率よく実施するという観点からは、少なくとも一部がケト土であることが好ましく、全量がケト土であることがより好ましい。ケト土は、腐葉土を含む園芸用の土である。
【００３０】
ｐＨの制御機能が低下したコンクリートブロックは、定期的又は不定期に交換される。コンクリートブロックを交換するとき、まず、前記ブロック上に前記土壌層が載せられた状態で前記ブロックを前記水槽内から取り出す。次に、新たなコンクリートブロックを用意し、前記土壌層を前記ブロック上から前記新たなブロック上に移す。その後、前記新たなブロック上に前記土壌層が載せられた状態で前記新たなブロックを前記水槽内に配置する。コンクリートブロックは、固化物であるため、取り扱いが容易である。このため、前記ブロックの前記水槽内からの取り出し、及び前記ブロックの前記水槽内への配置を容易に行うことができる。また、前記ブロックを前記水槽内から取り出すとき、又は前記ブロックを前記水槽内に配置するとき、前記ブロックが崩れて前記水を汚すことはない。
【００３１】
本発明のホタル飼育用装置においては、コンクリートブロックと土壌層との間に透水性シートを備えることができる。透水性シートを備えることで、コンクリートブロックの交換に際、土壌層を透水性シートに載せた状態で、交換前のブロック上から新たなブロック上に容易に移動させることができる。また、透水性シートであることが、コンクリートブロックから土壌層への水分の移行が容易になり、土壌層中のホタルの幼虫の生育を促進することができる。透水性シートは、具体的には、不織布、合成樹脂製ネットなどから選択することができる。
透水性シートを用いることで、土壌層中の蛹を負担なく移行でき、かつ作業効率もよいという利点がある。また、感染症や害虫が発生した場合、土壌層を迅速に交換できることで、他の水槽内外の感染症と害虫予防を防ぎ、ホタルを維持管理がしやすいという利点もある。
【００３２】
本発明のホタル飼育用装置の水槽部分は、底板と、該底板周りの側壁とを有し、コンクリートブロックは前記側壁から間隔を置かれることができる。コンクリートブロックは前記側壁と接した状態で置かれることもできる。但し、水槽の水の循環の容易さを考慮すると、コンクリートブロックは側壁から間隔を置かれることが好ましい。
【００３３】
前記ホタル飼育用装置は前記水槽内に照明器具を備えることができる。前記照明器具のスイッチをいれて前記水槽内を明るくすることにより、前記水槽内の環境を昼間の環境に近づけ、また、前記照明器具のスイッチを切って前記水槽内を暗くする（装置は暗室内に設置）ことにより、前記水槽内の環境を夜間の環境に近づけることができる。このように暗室内に設置した本発明の装置において、照明器具による照明時間やタイミングをコントロールすることで、装置内で生育する幼虫に季節を誤認させ、ホタルが本来成虫となる夏期のみならず、その他の時期においても、ホタルの成虫を得ることができ、それにより、夏期以外の時期においても、ホタルの成虫を得ることができ、展示及び／又は鑑賞することができる。照明時間やタイミングのコントロールは、ホタルの幼虫及び／又は成虫に季節感を与えられるように、適宜行うことができる。
【００３４】
本発明のホタル飼育用装置は、温度制御手段をさらに備えることもできる。照明時間やタイミングのコントロールに加えて、温度制御手段を用いて装置内の温度(水温及び気温)を制御することで、装置内生育するホタルの幼虫の蛹化及び成虫への羽化を促進または抑制することもできる。本発明装置では、温度制御及び／又は照明時間やタイミングのコントロールをすることで、所望の時期に、装置内生育するホタルの幼虫の蛹化及び成虫への羽化をさせることもできる。これにより、日程の決まっているイベントに合わせて、ホタルの成虫を準備でき、展示及び／又は鑑賞することができる。さらには、ホタルの羽化数をコントロールして、ホタルの成虫の繁殖数をコントロールすることもできまる。
【００３５】
本発明のホタル飼育用装置は、前記水槽内の空気を前記水槽外の空気と入れ替える換気手段を前記水槽に備えることができる。前記水槽は、例えば、底板と、該底板周りの側壁と、該側壁上の天井とを有し、前記換気手段は、前記天井に設けられた通気窓と、前記側壁に設けられた少なくとも１つのファンとからなることができる。この場合、前記水槽外の空気は前記ファンにより前記水槽内に取り入れられ、前記水槽内の空気は前記通気窓を経て前記水槽外へ排出される。
【００３６】
前記ホタル飼育用装置は、前記水の中に空気を供給する空気供給手段を備えることができる。前記空気供給手段により前記水の中に空気を供給することによって、前記ホタルの幼虫及び前記カワニナがより多くの酸素を吸収できるようにする。前記空気供給手段は、エアポンプと、一端部が前記エアポンプに接続され、また他端部が前記水の中にあるエアホースとからなるものとすることができる。前記エアポンプにより送り出された空気は、前記エアホースを経て前記水の中に供給される。
【００３７】
前記空気供給手段は、前記水を汲み上げるポンプと、一端部が前記ポンプに接続され、また他端部が前記水面の上方にある送水管路とからなり、該送水管路が前記他端部に多数の吐出し口を有するものとすることができる。前記ポンプより汲み上げられた水は、前記送水管路を経て前記多数の吐出し口から放出される。前記送水管路を経た水は、前記吐出し口を経て放出されることにより拡散される。拡散された水が前記水面に落下することにより、前記水面の上方にある空気が前記水の中に混入する。これにより前記水の中に空気が供給される。
【００３８】
本発明のホタル飼育用装置は前記水槽内に温度計を備えることができる。また、前記ホタル飼育用装置は前記水槽内に湿度計を備えることもできる。前記温度計により前記水槽内の気温を測定し、前記湿度計により前記水槽内の湿度を測定する。前記温度計又は前記湿度計により測定された前記水槽内の気温又は湿度に応じて、前記換気手段により前記水槽内の空気を前記水槽外の空気と入れ替えることができる。
【実施例】
【００３９】
図２及び３に示すように、ホタル飼育用装置１０によりホタルの幼虫１２が飼育されている。ホタル飼育用装置１０は、水槽１４と、該水槽内の透水性のコンクリートブロック（第１ブロック）１６と、該ブロック上の土壌層１８と、水槽１４内に溜められた水２０とを含む。水２０の水面２２は土壌層１８の下部２４の近傍にある。
【００４０】
水槽１４は、底板２６と、該底板周りの側壁２８と、該側壁上の天井３０とを有する。底板２６、側壁２８及び天井３０のそれぞれは、アクリル樹脂製の板材からなる。水槽１４の横断面形状は、図示の例では矩形であるが、これに代えて円形、三角形、台形、他の多角形でもよい。水槽１４の寸法は、図示の例では、縦が約１ｍ、横が約１ｍ、高さが約２ｍであるが、他の寸法に変更することができる。
【００４１】
図示の例では、複数の透水性の第２ブロック３２が間隔を置いて底板２６上に配置され（図３）、第１ブロック１６は各第２ブロック３２上に配置されている。第１ブロック１６は水槽１４の側壁２８から間隔を置かれている。第１ブロック１６は、第２ブロック３２上に配置されている図示の例に代え、底板２６上に配置されていてもよい。また、複数の透水性の第２ブロック３２が底板２６上に配置され、第１ブロック１６が各第２ブロック３２上に配置されている図示の例に代えて、１つ透水性の第２ブロックが底板２６上に配置され、第１ブロック１６が前記第２ブロック上に配置されていてもよい。
【００４２】
第１ブロック１６は、アルカリ性物質を含む多孔質材料からなる。図示の例では、第１ブロック１６は多孔質コンクリートからなる。第１ブロック１６の形状はほぼ直方体である。第１ブロック１６の厚さ寸法は、図示の例では約１０ｃｍであるが、他の寸法に変更することができる。第１ブロック１６はその内部に中空部１６’を有する。第１ブロック１６は、中空部１６’を有する図示の例に代え、中空部１６’を有しない中実なものでもよい。第１ブロック１６は、多孔質コンクリートからなる図示の例に代え、合成樹脂により結合された珊瑚の破砕片からなるものでもよい。
【００４３】
第２ブロック３２は、第１ブロック１６同様に、アルカリ性物質を含む多孔質材料からなる。図示の例では、第２ブロック３２は多孔質コンクリートからなる。第２ブロック３２の形状はほぼ直方体である。第２ブロック３２の厚さ寸法は、図示の例では約１０ｃｍであるが、他の寸法に変更することができる。図示の例では、第２ブロック３２はその内部に中空部３２’を有するが、これに代え、第２ブロック３２は中空部３２’を有しない中実なものでもよい。第２ブロック３２は、多孔質コンクリートからなる図示の例に代え、合成樹脂により結合された珊瑚の破砕片からなるものでもよい。
【００４４】
ホタル飼育用装置１０は、第１ブロック１６と土壌層１８との間に透水性シート３４を備える。透水性シート３４は第１ブロック１６上に配置され、土壌層１８は透水性シート３４上に形成されている。透水性シート３４は、不織布、合成樹脂製ネット等からなる。ホタル飼育用装置１０は、透水性シート３４を備える図示の例に代え、土壌層１８が直接、第１ブロック１６上に形成され、透水性シート３４を備えないものであってもよい。
【００４５】
ホタル飼育用装置１０は、水槽１４内の空気を水槽１４外の空気と入れ替える換気手段３６を水槽１４に備える。換気手段３６は、水槽１４に側壁２８に設けられた少なくとも１つのファン３８と、水槽１４の天井３０に設けられた通気窓４０とからなる。図示の例では、上下方向及び水平方向に間隔が置かれた４つのファン３８が水槽１４の側壁２８に設けられている。水槽１４外の空気はファン３８により水槽１４内に取り入れられ、水槽１４内の空気は通気窓４０を経て水槽１４の外へ排出される。
【００４６】
通気窓４０には、ホタルの天敵である蜘蛛、蟻、ナメクジ等が水槽１４の外から水槽１４内へ侵入するのを防止するためのネット４２と、通気窓４０を開閉するスライド式の扉４４とが配置されている。ネット４２及び扉４４は水槽１４の天井３０に取り付けられている。
【００４７】
ホタル飼育用装置１０は水槽１４内に温湿度計４６を備える。温湿度計４６は水槽１４の側壁２８に取り付けられている。温湿度計４６により計測された温度又は湿度に基づいて各ファン３８の運転及び停止を制御する制御器（図示せず）が温湿度計４６と各ファン３８とに接続されている。
【００４８】
図示の例では、水槽１４の側壁２８の任意の位置に１つの温湿度計４６が取り付けられているが、これに代え、４つのファン３８のそれぞれの設置位置に温湿度計４６が取り付けられていてもよい。ホタル飼育用装置１０は、温湿度計４６を備える図示の例に代え、温度計（図示せず）及び湿度計（図示せず）のいずれか一方又は両方を備えるものであってもよい。
【００４９】
ホタル飼育用装置１０は水槽１４内に照明器具４８を備える。照明器具４８は水槽１４の天井３０から吊り下げられている。
【００５０】
ホタル飼育用装置１０は、水２０の中に空気を供給する２つの空気供給手段５０、５２を備える。一方の空気供給手段５０は、エアポンプ５４と、一端部５６がエアポンプ５４に接続され、また他端部５８が水２０の中にあるエアホース６０とからなる。エアポンプ５４により送り出された空気は、エアホース６０を経て水２０の中に供給される。
【００５１】
他方の空気供給手段５２は、水２０を汲み上げるポンプ６２と、一端部６４が第１ポンプ６２に接続され、また他端部６６が水面２２の上方にある送水管路６８とからなる。送水管路６８は他端部６６に多数の吐出し口７０を有する。送水管路６８はその中間部にフィルター７２を備える。
【００５２】
ポンプ６２により汲み上げられた水は、送水管路６８を経て多数の吐出し口７０から放出される。送水管路６８を経た水は、吐出し口７０を経て放出されることにより拡散される。拡散された水（図２に矢印で示す。）が２２水面に落下することにより、水面２２の上方にある空気が水２０の中に混入する。これにより水２０の中に空気が供給される。フィルター７２は、送水管路６８を経る水を濾過する。
【００５３】
ホタル飼育用装置１０は、水２０を循環させる水循環手段７４を備える。水循環手段７４は、水２０を汲み上げるポンプ７６と、一端部７８がポンプ７６に接続され、また他端部８０が水２０の中にある送水管路８２とからなる。送水管路８２はその中間部にフィルター８４を備える。
【００５４】
ポンプ７６により汲み上げられた水は、送水管路８２を経て水２０の中に放出される。これにより水槽１４内の水２０が循環する。フィルター８４は、送水管路８２を経る水を濾過する。
【００５５】
ホタル飼育用装置１０によりホタルを飼育するとき、水２０の中でホタルの幼虫１２とカワニナ８６とを成育させ、土壌層１８で植物８８を生育させる。ホタルの幼虫１２は、カワニナ８６を餌にして水２０の中で成長する。成長したホタルの幼虫１２は、土壌層１８へ移動し、土壌層１８の中で蛹になる。羽化して成虫になったホタル（図示せず）は、植物８８に卵を産み、一生を終える。その後、前記卵からホタルの幼虫が孵化し、孵化したホタルの幼虫は、水２０の中へ移動し、水２０の中で成長する。このように、ホタル飼育用装置１０によりホタルを飼育し、また繁殖させることができる。
【００５６】
第１ブロック１６が透水性であるため、水２０は第１ブロック１６内に浸み込む。第１ブロック１６が、無数の微細な孔を内部に有する多孔質材料からなるため、第１ブロック１６は、該第１ブロック内に浸み込んだ水の中に存在する、水質汚濁の原因となる有機物、及び窒素、リン等の栄養塩類を効率よく吸着する。このため、第１ブロック１６により水２０を濾過して浄化することができる。また、前記微細な孔には微生物が付着しやすいため、該微生物の働きによっても水２０を浄化することができる。水２０を浄化することにより、カワニナ８６の成長を促すことができ、これによりホタルの幼虫１２をより大きく成長させることができる。
【００５７】
第１ブロック１６がアルカリ性物質を含むため、前記アルカリ性物質が第１ブロック１６から水２０に溶出する。図示の例では、第１ブロック１６が多孔質コンクリートからなるため、前記多孔質コンクリートに含まれる炭酸カルシウムが水２０に溶出する。これにより、水２０を弱アルカリ性の状態に維持することができる。カワニナ８６の成育にとって水２０が弱アルカリ性であることが望ましいため、水２０を弱アルカリ性の状態に維持することにより、カワニナ８６の成長を促すことができ、これによりホタルの幼虫１２をより大きく成長させることができる。
【００５８】
なお、第１ブロック１６が、合成樹脂により結合された珊瑚の破砕片からなる場合、前記珊瑚の破砕片に含まれる炭酸カルシウムが水２０に溶出する。これにより、第１ブロック１６が多孔質コンクリートからなる場合と同様に、水２０を弱アルカリ性の状態に維持することができる。
【００５９】
図示の例では、第２ブロック３２が、第１ブロック１６と同様に、アルカリ性物質を含む多孔質材料からなるための、第１ブロック１６に加えて、第２ブロック３２も水２０を弱アルカリ性の状態に維持すること、及び水２０を浄化することに寄与する。
【００６０】
土壌層１８は、第１ブロック１６内に浸み込んだ水分を吸い上げる。土壌層１８で生育する植物８８は、土壌層１８により第１ブロック１６内から吸い上げられた水分、又は散水により土壌層１８に供給された水分を吸収する。
【００６１】
ホタル飼育用装置１０は、屋外で使用してもよいし、屋内で使用してもよい。例えば、ホタル飼育装置１０が比較的暗い室内に置かれている場合には、照明器具４８のスイッチを入れて水槽１４内を明るくすることにより、水槽１４内の環境を昼間の環境に近づけ、また、照明器具４８のスイッチを切って水槽１４内を暗くすることにより、水槽１４内の環境を夜間の環境に近づける。
【００６２】
温湿度計４６により水槽１４内の気温及び湿度を測定し、測定された気温及び湿度の変化に応じて、換気手段３６により水槽１４内の空気を水槽１４外の空気と入れ替える。このとき、通気窓４０を開け、ファン３８を運転する。ファン３８の運転及び停止は、各ファン３８と温湿度計４６とに接続された前記制御器（図示せず）によるものでもよいし、手動によるものでもよい。
【００６３】
例えば、照明器具４８が発する熱により水槽１４内の気温が水槽１４外の気温より高くなった場合、換気手段３６により水槽１４内の空気を水槽１４外の空気と入れ替えることによって、水槽１４内の気温を下げる。これにより、水槽１４内の気温を、ホタルの成育に適した気温に維持する。
【００６４】
水槽１４内の湿度が水槽１４外の湿度より高くなった場合、換気手段３６により水槽１４内の空気を水槽１４外の空気と入れ替えることによって、水槽１４内の湿度を下げる。これにより、水槽１４内の真菌の発生を抑制し、ホタルの病気を予防する。
【００６５】
空気供給手段５０、５２により水２０の中に空気を供給することによって、ホタルの幼虫１２及びカワニナ８６がより多くの酸素を吸収できるようにする。水循環手段７４により水槽１４内の水２０を循環させることによって、水２０の浄化を促し、空気供給手段５０、５２により水２０の中に供給された空気９０、９２を水２０の中の比較的広い範囲に行き渡らせる。
【００６６】
図示の例では、水面２２が土壌層１８の下部２４とほぼ同じ高さに位置するが、これに代えて、空気供給手段５０により水２０の中に発生した気泡９０によって水面２２が波立った状態で水面２２が土壌層１８の下部２４に達する程度に、水面２２が図示の例における水面２２の高さより下方に位置していてもよい。また、水面２２は、ホタルの幼虫１２が水２０の中から土壌層１８へ移動することが可能であれば、さらに下方に位置していてもよい。
【００６７】
第１ブロック１６は、水２０を濾過することにより、水２０から除去された除去物によって目詰まりを生じる。第１ブロック１６が目詰まりを生じたとき、第１ブロック１６を交換する。第１ブロック１６を交換するとき、まず、第１ブロック１６上に土壌層１８が載せられた状態で第１ブロック１６を水槽１４内から取り出す。次に、新たなブロック（図示せず）を用意し、土壌層１８を第１ブロック１６上から前記新たなブロック上に移す。その後、前記新たなブロック上に土壌層１８が載せられた状態で前記新たなブロックを水槽１４内に配置する。
【００６８】
第１ブロック１６は、固化物であるため、取り扱いが容易である。このため、第１ブロック１６の水槽１４内からの取り出し、及び第１ブロック１６の水槽１４への配置は容易である。また、第１ブロック１６を水槽１４内から取り出すとき、又は第１ブロック１６を水槽１４内に配置するとき、第１ブロック１６が崩れて水２０を汚すことはない。このため、第１ブロック１６の交換時に水槽１４内を清掃する必要がない。したがって、第１ブロック１６の交換に要する手間及び時間が比較的少なく、第１ブロック１６の交換を効率的に行うことができる。
【００６９】
土壌層１８を第１ブロック１６上から前記新たなブロック上へ移動するとき、土壌層１８が透水性シート３４上にある状態で透水性シート３４を第１ブロック１６上から新たなブロック上に移動させる。これにより、土壌層１８の第１ブロック１６上から新たなブロック上への移動を容易に行うことができる。
【００７０】
第１ブロック１６が側壁２８に接している場合、土壌層１８が第１ブロック１６と側壁２８とに支持される。このため、第１ブロック１６を水槽１４内から取り出すために第１ブロック１６を側壁２８から離したとき、土壌層１８が崩れ、該土壌層を構成する土が水２０の中に落ち、水２０が汚れる。これに対して、図示の例によれば、第１ブロック１６が側壁２８から間隔を置かれていることにより、土壌層１８が、側壁２８に支持されることなく第１ブロック１６上に支持される。このため、第１ブロック１６を水槽１４内から取り出すとき、土壌層１８が崩れ、該土壌層を構成する土が水２０の中に落ちることはない。これにより、水２０が汚れるのを防ぐことができる。
【符号の説明】
【００７１】
１、１０    ホタル飼育用装置
２    コンクリートブロック
１４    水槽
１６    ブロック
３、１８    土壌層
４、２０    水
４ｓ、２２    水面
５    水循環装置
２４    下部
２６    底板
２８    側壁
３０    天井
３４    透水性シート
３６    換気手段
３８    ファン
４０    通気窓
４６    温湿度計
４８    照明器具
５０、５２    空気供給手段
５４    エアポンプ
５６、６４、７８    一端部
５８、６６、８０    他端部
６０    エアホース
６２、７６    ポンプ
６８、８２    送水管路
７０    吐出し口
７４    水循環手段
【図１】
0006351660.tif 000002
【図２】
0006351660.tif 000003
【図３】
0006351660.tif 000004